(57)【特許請求の範囲】
【請求項１】
所定時期からの総走行距離と総燃料消費量とに基づいて、単位燃料消費量あたりの走行距離、又は単位走行距離あたりの燃料消費量である平均燃費を、定期的に算出する平均燃費算出手段と、
前記平均燃費算出手段によって算出された平均燃費を表示する表示手段と、
前記算出手段により前回算出された平均燃費に対する今回算出された平均燃費の変動量を表す変動値を算出し、その変動値が所定範囲に収束したことを検出することで、平均燃費が安定したと判定する判定手段と、
平均燃費が安定したと前記判定手段により判定されるまでは、前記表示手段への平均燃費の表示を禁止し、平均燃費が安定したと前記判定手段により判定されると、そのときから前記表示手段への平均燃費の表示を開始する表示制御手段と、を備えることを特徴とする車両用表示装置。
【請求項２】
前記判定手段は、平均燃費の変動値が所定範囲に収束したことを連続して複数回検出することで、平均燃費が安定したと判定することを特徴とする請求項１に記載の車両用表示装置。
【請求項３】
平均燃費が安定したと前記判定手段により判定されるまでにおいて、前記表示手段への平均燃費の表示が禁止されているときに、前記表示制御手段は、平均燃費の表示開始を待機していることを示す待機画像を前記表示手段に表示させることを特徴とする請求項１又は２に記載の車両用表示装置。
【請求項４】
前記判定手段によって算出される前記変動値は、今回算出された平均燃費に対する前回算出された平均燃費の割合、又は前回算出された平均燃費に対する今回算出された平均燃費の割合であり、
前記所定範囲は、数値１を含む所定の幅を有していることを特徴とする請求項１から３のいずれか一項に記載の車両用表示装置。
【請求項５】
前記判定手段によって算出される前記変動値は、前回算出された平均燃費と今回算出された平均燃費との差分であり、
前記所定範囲は、数値０を含む所定の幅を有していることを特徴とする請求項１から３のいずれか一項に記載の車両用表示装置。
【発明の詳細な説明】
【技術分野】
【０００１】
本発明は、車両の状態を表示する車両用表示装置に関し、特に、単位燃料消費量あたりの車両の走行距離、若しくは車両の単位走行距離あたりの燃料消費量である平均燃費を表示するのに適した車両用表示装置に関する。
【背景技術】
【０００２】
従来、リセット後からの燃料消費量と車両の走行距離とによって、単位燃料消費量あたりの車両の走行距離である平均燃費を算出し、車両に搭載された表示手段がその算出結果を表示する技術が知られている（特許文献１を参照）。特に、この特許文献１に記載の技術は、リセット後の燃料消費量と車両の走行距離のデータ量が少なく、平均燃費の算出結果が車両の運転状態に大きく影響を受け、表示手段によって表示される平均燃費が大きく上下することによるユーザの違和感を解消することを課題としている。この課題を解決するために、特許文献１に記載の技術では、リセット後すぐに表示手段が平均燃費を表示するのではなく、所定時間経過してから、表示手段が算出された平均燃費を表示している。これによれば、燃料消費量と走行距離のデータ量が比較的多くなり、算出される平均燃費が安定するので、ユーザの違和感を解消することができる。
【先行技術文献】
【特許文献】
【０００３】
【特許文献１】特開昭５８−２０５３８号公報
【発明の概要】
【発明が解決しようとする課題】
【０００４】
しかしながら、リセット後、所定時間経過してから表示手段による平均燃費の表示を行う特許文献１の技術では、所定時間内に多くのデータ量を収集することができない場合がある。この場合、所定時間経過後すぐに平均燃費を表示させると、平均燃費が大きく上下することとなるので、ユーザの違和感を解消することができないおそれがあった。
【０００５】
本発明は、上述の問題点に鑑みてなされたものであって、その目的は、ユーザの平均燃費の表示に対する違和感を解消することができる車両用表示装置を提供することである。
【課題を解決するための手段】
【０００６】
上記目的を達成するために、請求項１の発明は、所定時期からの総走行距離と総燃料消費量とに基づいて、単位燃料消費量あたりの走行距離、又は単位走行距離あたりの燃料消費量である平均燃費を、定期的に算出する平均燃費算出手段と、
平均燃費算出手段によって算出された平均燃費を表示する表示手段と、
算出手段により前回算出された平均燃費に対する今回算出された平均燃費の変動量を表す変動値を算出し、その変動値が所定範囲に収束したことを検出することで、平均燃費が安定したと判定する判定手段と、
平均燃費が安定したと判定手段により判定されるまでは、表示手段への平均燃費の表示を禁止し、平均燃費が安定したと判定手段により判定されると、そのときから表示手段への平均燃費の表示を開始する表示制御手段と、を備えることを特徴とする。
【０００７】
請求項１の発明によると、表示制御手段は、平均燃費が安定したと判定手段により判定されるまでは、平均燃費の表示手段への表示を行わず、平均燃費が安定したと判定されると、そのときから、平均燃費の表示手段への表示を開始するので、安定した平均燃費のみをユーザに視認させることができる。したがって、この発明によれば、ユーザの平均燃費の表示に対する違和感を解消することができる。
【０００８】
請求項２の発明によると、判定手段は、平均燃費の変動値が所定範囲に収束したことを連続して複数回、検出することで、平均燃費の安定を判定しているので、当該変動値が所定範囲に収束したことを一度だけ検出することで、平均燃費の安定を判定するよりも判定精度が高まる。
【０００９】
請求項３の発明によると、平均燃費が安定しておらず、表示手段への平均燃費の表示が禁止されているときに、平均燃費の表示開始を待機していることを示す待機画像が表示手段に表示されることとなる。これによれば、平均燃費の表示を所望しているユーザに対して、平均燃費の表示が行われないことによる不安を与えないようにすることができる。
【００１０】
請求項４の発明に記載されているように、判定手段によって算出される平均燃費の変動値は、今回算出された平均燃費に対する前回算出された平均燃費の割合、又は前回算出された平均燃費に対する今回算出された平均燃費の割合となっているから、これらの割合が数値１に近づくと変動量が少なくなる。この発明では、算出される変動値が安定であることを判定するために比較される所定範囲が数値１を含む所定幅を有しているため、この所定範囲に変動値が収束したことを検出することで平均燃費が安定したか否かを判定することができる。
【００１１】
請求項５の発明に記載されているように、判定手段によって算出される平均燃費の変動値は、前回算出された平均燃費と今回算出された平均燃費との差分となっているから、この差分の数値が数値０に近づくと変動量が少なくなる。この発明では、算出される変動値が安定であることを判定するために比較される所定範囲が数値０を含む所定幅を有しているため、この所定範囲に変動値が収束したことを検出することで平均燃費が安定したか否かを判定することができる。
【図面の簡単な説明】
【００１２】
【図１】本発明の第１実施形態によるコンビネーションメータの正面図である。
【図２】本発明の第１実施形態によるコンビネーションメータの電気的構成を示すブロック図である。
【図３】本発明の第１実施形態によるコンビネーションメータにおいて、表示制御回路がリセット信号を取得してから１分毎に積算される走行距離、燃料消費量及び平均燃費に関する表である。
【図４】図３に示す表について、表示制御回路がリセット信号を取得してから１分毎に更新される平均燃費の推移を示したグラフである。
【図５】本発明の第１実施形態によるコンビネーションメータにおいて、表示制御回路が実行する安定化判定処理の制御フローを示すフローチャートである。
【図６】本発明の第１実施形態によるコンビネーションメータにおいて、表示制御回路が実行する表示処理の制御フローを示すフローチャート
【図７】本発明の第１実施形態によるコンビネーションメータにおいて、液晶表示部が表示する画像の表示例であって、（ａ）は液晶表示部に平均燃費を表示させた表示例であり、（ｂ）は液晶表示部に待機画像を表示させた表示例である。
【発明を実施するための形態】
【００１３】
以下、本発明の複数の実施形態を図面に基づいて説明する。なお、各実施形態において対応する構成要素には同一の符号を付すことにより、重複する説明を省略する。
【００１４】
（第１実施形態）
図１は、第１実施形態によるコンビネーションメータ１００の正面図である。コンビネーションメータ１００は、車両の車室内に設けられたインストルメントパネル内に収容され、図１に示す正面側を運転席側に向けて配置されている。
【００１５】
車両用表示装置としてのコンビネーションメータ１００は、走行用の内燃機関と共に車両に搭載されており、車両に関連する種々の車両情報を表示する。コンビネーションメータ１００は、タコメータ２１、燃料計２２、水温計２３、及びスピードメータ２４等から構成される指針表示部２０と、液晶表示部３０とを備えている。
【００１６】
指針表示部２０を構成しているタコメータ２１、燃料計２２、水温計２３、及びスピードメータ２４等には、それぞれ指針２１ａ〜２４ａ及び文字板２１ｂ〜２４ｂが設けられている。各指針２１ａ〜２４ａは、各文字板２１ｂ〜２４ｂの運転席側の表面に沿って回転する。タコメータ２１及びスピードメータ２４の文字板２１ｂ，２４ｂには、回転する各指針２１ａ，２４ａの回転中心周りに円環状に伸びる目盛意匠２１ｃ，２４ｃが形成されている。加えて文字板２１ｂ，２４ｂには、目盛意匠２１ｃ，２４ｃの内周側に数字意匠２１ｄ，２４ｄが形成されている。一方、燃料計２２及び水温計２３の文字板２２ｂ，２２ｂには、回転する各指針２２ａ，２３ａの回転中心周りに円弧状に伸びる目盛意匠２２ｃ，２３ｃが形成されている。加えて文字板２２ｂ，２３ｂには、目盛意匠２２ｃ，２３ｃの延伸方向の両端に隣接して文字意匠２２ｄ，２３ｄが形成されている。
【００１７】
以上の構成によって、指針表示部２０は、各指針２１ａ〜２４ａによって各目盛意匠２１ｃ〜２４ｃ及び数字意匠２１ｄ，２４ｄ又は文字意匠２２ｄ，２３ｄを指し示すことにより車両情報を表示する。具体的には、タコメータ２１は、車両に搭載された内燃機関の出力軸の回転速度を示す情報を表示する。燃料計２２は、車両に搭載された燃料タンクに貯留されている燃料残量を示す燃料残量情報を表示する。水温計２３は、車両に搭載された内燃機関を冷却する冷却水の水温を示す情報を表示する。スピードメータ２４は、車両の走行速度を示す情報を表示する。
【００１８】
指針表示部２０の各文字板２１ｂ〜２４ｂの目盛意匠２１ｃ〜２４ｃ、数字意匠２１ｄ，２４ｄ、及び文字意匠２２ｄ，２３ｄは、外来光の少ない環境下において、透過照明されることにより、発光表示される。加えて、各指針２１ａ〜２４ａは、自発光可能な構成とされており、外来光の少ない環境下において発光する。
【００１９】
液晶表示部３０は、後述する液晶パネル７０の表示画面に形成される画像により車両情報を表示する。この液晶表示部３０に表示される車両情報を表すための画像には、例えばオドメータ画像３１、平均燃費画像３２、トリップメータ画像（図示しない）、シフトインジケータ画像（図示しない）、ドアウォーニング画像（図示しない）等がある。また、液晶表示部３０に表示される画像には、車両情報を表すための画像の他に、平均燃費が積算中である旨をユーザに知らせる待機画像３３（図７（ｂ）参照）がある。
【００２０】
次に、コンビネーションメータ１００の電気的構成を図２に基づいて説明する。
【００２１】
コンビネーションメータ１００は、表示制御回路５０、ステッパーモータ６０ａ〜６０ｄ、液晶パネル７０、及びバックライト７１等によって構成されている。コンビネーションメータ１００には、車載ネットワークであるＣｏｎｔｒｏｌ  Ａｒｅａ  Ｎｅｔｗｏｒｋ（ＣＡＮ）９１、外部のバッテリ９５、イグニションリレー９４、及び接地されたアース配線９８が接続されている。
【００２２】
表示制御回路５０は、車両情報を取得し、指針表示部２０（図１参照）及び液晶表示部３０（図１参照）を制御することにより、取得した車両情報をこれら指針表示部２０及び液晶表示部３０に表示させる。表示制御回路５０は、各種の演算処理を行うプロセッサ、当該演算処理に用いられるプログラム及び車両に関する情報等が格納されたフラッシュメモリ、及び演算の作業領域として機能するＲＡＭ等によって構成されている。加えて表示制御回路５０は、液晶パネル７０の各画素を制御するための駆動回路（図示しない）、バックライト７１の発光を制御するためのレギュレータ回路（図示しない）を有している。さらに表示制御回路５０は、ステッパーモータ６０ａ〜６０ｄの回転を制御するための駆動回路（図示しない）、指針表示部２０を発光表示させるための発光ダイオードの発光を制御するレギュレータ回路（図示しない）を有している。
【００２３】
表示制御回路５０は、バッテリ９５と常に導通している給電系統と、イグニションリレー９４を介した給電系統を有し、当該バッテリ９５から電力を供給されている。加えて、表示制御回路５０は、車載されているＣＡＮ９１に接続されており、当該ＣＡＮ９１に出力された車両に関連する車両情報を取得する。この車両情報には、例えば、機関が稼動状態か停止状態かを示す機関情報、車両の走行距離を示す走行距離、車両に搭載された燃料タンクに貯留されている燃料残量を示す燃料残量、車両のドアが開状態か閉状態かを示すドア開閉等が含まれている。さらに、車両情報には、車両の走行速度を示す情報、冷却水の水温、内燃機関の出力軸の回転速度、内燃機関の燃料消費量も含まれている。
【００２４】
また、表示制御回路５０は、車両の走行距離及び燃料消費量によって、平均燃費を算出する。具体的には、表示制御回路５０に電気的に接続されているユーザが操作可能なリセットスイッチ７２からのリセット信号を表示制御回路５０が取得したときからの総走行距離と、総燃料消費量とによって平均燃費が算出される。この平均燃費の算出は、定期的に行われる。例えば、表示制御回路５０によるリセット信号の取得から１分毎に行われる。定期的に算出される平均燃費は、算出された順序で表示制御回路５０のフラッシュメモリに記憶される。本実施形態において算出される平均燃費は、単位燃料消費量あたりの走行距離となっている。
【００２５】
各ステッパーモータ６０ａ〜６０ｄは、表示制御回路５０の駆動回路からの制御信号に従って回転する指針軸（図示しない）を有している。各ステッパーモータ６０ａ〜６０ｄの指針軸には、各指針２１ａ〜２４ａ（図１参照）が取り付けられている。各ステッパーモータ６０ａ〜６０ｄは、各指針軸とともに各指針２１ａ〜２４ａを回転させることにより、指針表示部２０（図１参照）に車両情報を表示させる。
【００２６】
液晶パネル７０は、マトリクス状に配列された複数の画素を有するドットマトリクス型の透過型液晶パネルである。液晶パネル７０は、表示制御回路５０の駆動回路からの制御信号に従って各画素が駆動されることにより、車両情報を各画像（図１及び図７（ａ）（ｂ）参照）によって表示する。
【００２７】
バックライト７１は、液晶パネル７０の表示方向背面側に配置され、当該液晶パネル７０を表示方向背面側から透過照明する。バックライト７１は、発光ダイオードおよび拡散板を有しており、液晶パネル７０を斑無く照明する。バックライト７１から放出される光によって、液晶パネル７０に形成される各画像（図１及び図７（ａ）（ｂ）参照）は、発光表示される。
【００２８】
ＣＡＮ９１上には、電力供給制御回路９２が設けられている。電力供給制御回路９２は、バッテリ９５、イグニションスイッチ９３、イグニションリレー９４、および機関制御回路（図示しない）等と接続されている。電力供給制御回路９２は、バッテリ９５から電力を供給されている。電力供給制御回路９２は、車両のイグニションのＯＮ／ＯＦＦ状態を切り替えるための運転者（ユーザ）等によるイグニションスイッチ９３の押圧操作を検知する。電力供給制御回路９２は、車両のイグニションがＯＮ状態とされることにより、イグニションリレー９４に電圧を印加し、当該イグニションリレー９４を通電状態にする。また、電力供給制御回路９２は、検知した運転者によるイグニションスイッチ９３の押圧操作に基づいて、内燃機関が稼動状態か停止状態かを示す機関情報をＣＡＮ９１に出力する。電力供給制御回路９２からＣＡＮ９１に出力された機関情報に従って、機関制御回路は、走行用の内燃機関を始動させる。
【００２９】
以上の構成において、表示制御回路５０は、取得した機関情報が内燃機関の停止状態を示すものから稼動状態を示すものに切り替えられた場合に、車両情報を表示するよう指針表示部２０（図１参照）及び液晶表示部３０（図１参照）を制御する。表示制御回路５０は、上述したような機関情報以外の車両情報も取得する。表示制御回路５０は、取得した車両情報に基づいて、各ステッパーモータ６０ａ〜６０ｄの各指針軸の回転すべき回転方向、回転角度、及び回転速度等を算出する。そして表示制御回路５０は、この算出結果に対応したパルス電力をステッパーモータ６０ａ〜６０ｄに出力し、指針軸を制御する。加えて、表示制御回路５０は、取得した走行距離、算出した平均燃費等に基づいて、液晶パネル７０の各画素を制御する。さらに表示制御回路５０は、指針表示部２０を照明する発光ダイオード及びバックライト７１の発光を開始させる。以上により、図１に示されるような指針表示部２０及び液晶表示部３０による車両情報の表示がＯＮ状態となる。
【００３０】
次に、表示制御回路５０による液晶表示部３０への平均燃費の表示について詳細に説明する。上述したように液晶表示部３０には、リセット信号の取得からの総走行距離と総燃料消費量とによって表示制御回路５０により１分毎に算出された平均燃費が表示される（図１及び図７（ａ）参照）。
【００３１】
ここで、算出される平均燃費について説明する。上述したように平均燃費は、リセット信号の取得からの総走行距離と総燃料消費量とによって算出される。リセット信号の取得から間もない時点では、総走行距離及び総燃料消費量の積算値は、非常に少ない。内燃機関の運転状態は、ユーザの運転により様々に変化する。このため、総走行距離に対する総燃料消費量が安定しない。例えば、リセット信号を取得してからすぐに車両が下り坂を下っている場合では、通常、内燃機関への燃料供給が停止される。このため、総走行距離に対する総燃料消費量は非常に少ない。反対に、リセット信号を取得してからすぐに車両が上り坂を登っている場合では、通常、内燃機関への燃料供給は、平坦路を走っている場合に比べ多くなる。このため、総走行距離に対する総燃料消費量は先に説明した場合に比べ極端に多くなる。このように、リセット信号を取得してからの総走行距離及び総燃料消費量の少ない状態で算出される平均燃費は、内燃機関の運転状態に大きく左右され、信憑性の低いものとなる。リセット信号を取得してからすぐに平均燃費を液晶表示部３０に表示させると、表示が更新されるたびに、平均燃費が大きく上下するので、ユーザに違和感を与えることとなる。
【００３２】
このことを図３及び図４に基づいて詳細に説明する。図３は、表示制御回路５０がリセット信号を取得してから１分毎に積算される走行距離、燃料消費量、及び平均燃費に関する表であり、図４は、リセット信号を取得してから１分毎に更新される平均燃費の推移を示したグラフである。
【００３３】
図４に示すように、リセット信号の取得直後は、１分毎に積算される走行距離に対する燃料消費量が安定せず、１分毎に算出される平均燃費の変動量が大きくなっている。また、図４に示すように、この定期的に算出される平均燃費の変動量は、積算される走行距離及び燃料消費量が多くなるほど小さくなる。
【００３４】
そこで、本実施形態では、表示制御回路５０は、リセット信号を取得してからすぐの平均燃費の液晶表示部３０への表示を禁止し、平均燃費が比較的安定したか否かを安定化判定処理によって判定する。そして、安定化判定処理によって平均燃費が安定したと判定すると、表示処理によって平均燃費を液晶表示部３０に表示させる。表示制御回路５０は、平均燃費が安定化判定処理によって安定したと判定されるまでは、図７（ｂ）に示すような待機画像３３を液晶表示部３０に表示させる。このように、平均燃費の表示にあたり、不安定な平均燃費の表示を禁止し、安定した平均燃費のみを表示させるようにするので、ユーザの平均燃費の表示に対する違和感が解消する。また、本実施形態では、平均燃費が不安定で液晶表示部３０への表示が禁止されているときに、図７（ｂ）に示すような待機画像３３が液晶表示部３０に表示されるので、平均燃費の表示を所望しているユーザに対して、平均燃費の表示が行われないことによる不安を与えないようにすることができる。
【００３５】
具体的には、安定化判定処理を用いることにより、定期的に算出される平均燃費（ＡＦ）のうち、前回算出された平均燃費（ＡＦｎ−１）に対する今回算出された平均燃費（ＡＦｎ）の変動量を表す変動値（Ｃ）を求め、その求めた変動値（Ｃ）が所定範囲に収束していることを検出することで、今回算出された平均燃費が安定したと判定する。
【００３６】
本実施形態では、この変動値（Ｃｍ）は、今回算出された平均燃費（ＡＦｎ）に対する前回算出された平均燃費（ＡＦｎ−１）の割合（ＡＦｎ−１／ＡＦｎ）となっている。このようにして求められた変動値は、前回算出された平均燃費と今回算出された平均燃費に対する傾きに関連した値となる。この場合の所定範囲は、数値１を含む所定幅を有したものとなる。算出される変動値が、数値１に近づくほど前回算出された平均燃費に対する今回算出された平均燃費の変動量が小さくなったことを意味するからである。なお、前回算出された平均燃費に対する今回算出された平均燃費の割合（ＡＦｎ／ＡＦｎ−１）を変動値（Ｃｍ）としてもよい。この場合であっても、算出される変動値が数値１に近づくほど前回算出された平均燃費に対する今回算出された平均燃費の変動量が小さくなる。
【００３７】
次に、表示制御回路５０が液晶表示部３０に平均燃費を表示させる際、表示制御回路５０によって算出された平均燃費が安定しているか否かを判定する安定化判定処理を図５に基づいて説明する。図５のフローチャートに示す安定化判定処理は、イグニッションスイッチ９３の押圧操作が電力供給制御回路９２によって検出され、当該回路９２からの稼働状態を示す機関情報を表示制御回路５０が取得した場合、又はユーザによってリセットスイッチ７２が操作され、リセットスイッチ７２からのリセット信号を表示制御回路５０が取得した場合に、表示制御回路５０によって実施される。
【００３８】
まず、ユーザによりイグニッションスイッチ９３が押圧操作され、表示制御回路５０が電力供給制御回路９３からの稼働状態を示す情報を取得した場合から説明する。表示制御回路５０が稼動状態を示す情報を取得すると、ステップＳ１０が実行される。ステップＳ１０では、表示制御回路５０に記憶されている安定化フラグの状態を判定する。ここで、安定化フラグとは、算出される平均燃費が安定したものであるのか否かを示すフラグである。算出される平均燃費が安定した状態のものであると判定されるとフラグが「１」となり、不安定な状態のものであると判定されるとフラグが「０」となる。このフラグは、内燃機関を停止してもなお、表示制御回路５０に記憶されるようになっている。ステップＳ１０において、安定化フラグの状態を判定するのは、前回の安定化判定処理の結果を確認するためである。
【００３９】
ステップＳ１０の判定処理において、安定化フラグが「１」であると判定されると、これから算出される平均燃費は、安定したものであるとみなすことができるので、この安定化判定処理を終了する。一方、安定化フラグが「０」であると判定されると、ステップＳ２０に進む。ステップＳ２０では、表示制御回路５０に記憶されている走行距離及び燃料消費量の積算値、並びに後述する安定化カウントのカウント数をリセットし、ステップＳ３０に進む。
【００４０】
ステップＳ１０によって安定化フラグが「１」であると判定され、安定化判定処理が終了した後、表示制御回路５０は、後述する表示処理の実行により、平均燃費を算出し、算出された平均燃費を液晶表示部３０に表示させる。本実施形態では、表示処理において、リセット信号からの走行距離と燃料消費量とによって平均燃費は算出される。新たにリセット信号が検出されない限り、走行距離と燃料消費量とは表示制御回路５０のフラッシュメモリに記憶されたままとなる。仮に内燃機関が停止し、その後始動しても、記憶された走行距離と燃料消費量とによる平均燃費の算出を継続して行う限りは、イグニッションスイッチ９３のＯＮ／ＯＦＦに拘らず安定化フラグは「１」のままとなる。
【００４１】
ステップＳ３０では、液晶表示部３０に図７（ｂ）に示すような待機画像３３を表示させる。図７（ｂ）に示す待機画像３３は、算出される平均燃費の表示ではなく、平均燃費が積算中である旨、算出される平均燃費が安定していないので平均燃費の表示ができない旨、又は平均燃費の表示開始を待機している旨を示すための表示となっている。図７（ｂ）に示す表示例は、一例であって、上述したことがユーザに報知されるものであればよい。
【００４２】
ステップＳ４０では、ステップＳ２０においてイニシャライズが行われてから所定時間後（１分後）の総走行距離と総燃料消費量によって、平均燃費を算出し、その算出結果を表示制御回路５０に記憶する。なお、このステップＳ４０による平均燃費の算出は、この安定化判定処理が実行されているときにおいて、所定時間毎（本実施形態では１分毎）に実行されるようになっている。ステップＳ５０では、今回算出された平均燃費（ＡＦｎ）に対する前回算出された平均燃費（ＡＦｎ−１）の割合（ＡＦｎ−１／ＡＦｎ）を変動値（Ｃｍ）として算出するとともに、その変動値が所定範囲の値に収束しているか否かを判定する。ステップＳ５０の判定処理において、変動値が所定範囲に収束していると判定されると、ステップＳ６０に進み、変動値が所定範囲に収束していないと判定されると、ステップＳ７０に進む。
【００４３】
ステップＳ６０では、ステップＳ５０において肯定判定がなされたので、安定化カウントのカウント数を一つ加え、そのカウント数を表示制御回路５０のフラッシュメモリに記憶し、ステップＳ８０に進む。ステップＳ７０では、ステップＳ５０において否定判定がなされたので、安定化カウントのカウント数をリセットし、リセット後のカウント数を表示制御回路５０のフラッシュメモリに記憶し、ステップＳ４０に戻る。
【００４４】
ステップＳ８０では、ステップＳ６０においてカウント数が一つ加えられた状態の安定化カウントのカウント数を判定する。具体的には、安定化カウントのカウント数が所定数以上であるか否かを判定する。この実施形態において所定数は、２以上の数値としている。ステップＳ８０の判定処理において、安定化カウントのカウント数が所定数以上であれば、ステップＳ９０に進み、安定化カウントのカウント数が所定数未満であれば、ステップＳ４０に戻る。ここで、安定化カウントとは、ステップＳ５０において、変動値が所定範囲に継続して収束している回数をカウントするものである。
【００４５】
なお、イニシャライズが行われてから最初に実行されるステップＳ５０では、前回算出された平均燃費が表示制御回路５０に記憶されていないので、上記変動値を算出することができない。この場合、ステップＳ６０における処理を実行せず、ステップＳ８０に進む。この場合、安定化カウントのカウント数は、所定数未満となるので、ステップＳ８０が実行されると否定判定され、ステップＳ４０に戻ることとなる。
【００４６】
ステップＳ９０では、安定した平均燃費が算出されているので、算出した平均燃費を液晶表示部３０に表示させる。これにより、液晶表示部３０には、図７（ａ）に示すような平均燃費の画像が表示されることとなる。そして、ステップＳ１００では、安定化フラグを「０」から「１」に変更し、この安定化判定処理の制御フローを終了する。その後、後述する表示処理の制御フローが実行される。
【００４７】
なお、本実施形態では、ステップＳ８０において安定化カウントのカウント数が所定数以上であると判定されないと、ステップＳ９０が実行されない。つまり、ステップＳ５０において算出される変動値が連続して安定していると判定されないと、ステップＳ９０が実行されない。このようなステップＳ８０の処理を設けることによれば、一度だけ変動値が安定していると判定され、そのことで平均燃費が表示される場合に比べ、平均燃費の安定の判定精度が高まる。
【００４８】
ここで、液晶表示部３０に平均燃費が表示されている状態で、ユーザがリセットスイッチ７２を操作した場合について説明する。ユーザがリセットスイッチ７２を操作することにより発生するリセット信号を、表示制御回路５０が検出すると、安定化判定処理が実行される。この場合、ステップＳ１１０が実行される。
【００４９】
ステップＳ１１０では、安定化フラグを「１」から「０」に変更し、ステップＳ２０に進む。ステップＳ２０では、上述したように今まで表示制御回路５０のフラッシュメモリに記憶されている走行距離及び燃料消費量の積算値、並びに安定化カウントのカウント数を全てリセットする。その後、走行距離及び燃料消費量の積算値がリセットされた状態から再びステップＳ３０以降の処理が実行されることとなる。
【００５０】
なお、ステップＳ４０からステップＳ８０の処理が行われている最中にリセットスイッチ７２からのリセット信号の検出が行われた場合、ステップＳ１１０の処理が強制的に行われ、再びステップＳ２０において走行距離及び燃料消費量の積算値、並びに安定化カウントのカウント数がリセットされる。
【００５１】
以上、安定化判定処理の制御フローについて説明した。次に、安定化判定処理が終了した後に実行される表示処理の制御フローを図６に基づいて説明する。
【００５２】
Ｓ２１０では、表示制御回路５０のフラッシュメモリに記憶されている走行距離と燃料消費量とによって、平均燃費を算出する。このフラッシュメモリに記憶される走行距離及び燃料消費量は、リセット信号が検出されてからのものであり、表示制御回路５０は、記憶された走行距離と燃料消費量とによって平均燃費を算出する。そして、ステップＳ２２０では、ステップＳ２１０において算出した平均燃費を液晶表示部３０に表示させ、制御フローを終了する。安定化判定処理のステップＳ１０において、安定化フラグが「１」であると判定されると、即、この表示処理が実行されることとなる。安定化フラグが「１」となっている場合では、フラッシュメモリには十分な走行距離及び燃料消費量のデータが記憶されているので、内燃機関が一旦停止して、再び始動する際に多くの燃料を消費するような場合であっても、算出される平均燃費の変動量は非常に小さい。したがって、イグニッションスイッチ９３が操作され内燃機関が始動したとき、ステップＳ１０によって安定化フラグが「１」であると判定され、即、表示処理が実行されても、表示される平均燃費の信憑性は失われない。
【００５３】
なお、本実施形態において、ステップＳ４０を実行する表示制御回路５０が特許請求の範囲に記載の「平均燃費算出手段」に相当し、ステップＳ５０、Ｓ６０、Ｓ８０を実行する表示制御回路５０が特許請求の範囲に記載の「判定手段」に相当し、ステップＳ３０、Ｓ９０を実行する表示制御回路５０が特許請求の範囲に記載の「表示制御手段」に相当し、液晶表示部３０が特許請求の範囲に記載の「表示手段」に相当する。
【００５４】
（その他の実施形態）
以上、本発明の第１実施形態について説明したが、本発明は、当該実施形態に限定して解釈されるものではなく、その要旨を逸脱しない範囲内において種々の実施形態に適用することができる。
【００５５】
第１実施形態では、今回算出された平均燃費（ＡＦｎ）に対する前回算出された平均燃費（ＡＦｎ−１）の割合（ＡＦｎ−１／ＡＦｎ）を算出する、又は前回算出された平均燃費（ＡＦｎ−１）に対する今回算出された平均燃費（ＡＦｎ）の割合（ＡＦｎ／ＡＦｎ−１）を算出することで、平均燃費の変動値（Ｃｍ）を求めているが、これに限らない。
【００５６】
例えば、今回算出された平均燃費（ＡＦｎ）と前回算出された平均燃費（ＡＦｎ−１）との差分を変動値（Ｃｍ）としてもよい。この場合、平均燃費の安定の判定は、算出された変動値が数値０を含む所定幅を有した所定範囲に収束したか否かを判定することにより行われる。変動値を今回算出された平均燃費と前回算出された平均燃費との差分とすると、この差分の数値が数値０に近づくことにより、平均燃費の変動量が少なくなる。したがって、この場合、所定範囲を数値０を含む所定幅を有したものとすることにより、平均燃費の安定を判定することができる。
【００５７】
また、先の実施形態では、単位燃料消費量あたりの走行距離を平均燃費としているが、これに限らず、単位走行距離あたりの燃料消費量を平均燃費としてもよい。さらに、先の実施形態では、平均燃費を所定時間毎（１分毎）に算出するようにしているが、これに限らず、所定距離毎（例えば、１ｋｍ毎）に算出するようにしてもよい。
【符号の説明】
【００５８】
２０  指針表示部、２１  タコメータ、２２  燃料計、２３  水温計、２４  スピードメータ、２１ａ〜２４ａ  指針、２１ｂ〜２４ｂ  文字板、２１ｃ〜２４ｃ  目盛意匠、２１ｄ，２４ｄ  数字意匠、２２ｄ，２３ｄ  文字意匠、３０  液晶表示部（表示手段）、３１  オドメータ画像、３２  平均燃費画像、３３  待機画像、５０  表示制御回路（平均燃費算出手段，判定手段，表示制御手段）、６０ａ〜６０ｄ  ステッパーモータ、７０  液晶パネル、７１  バックライト、７３  リセットスイッチ、９１  ＣＡＮ、９２  電力供給制御回路、９３  イグニションスイッチ、９４  イグニションリレー、９５  バッテリ、９８  アース配線、１００  コンビネーションメータ（車両用表示装置）
【図１】
0005655709.tif 000002
【図２】
0005655709.tif 000003
【図３】
0005655709.tif 000004
【図４】
0005655709.tif 000005
【図５】
0005655709.tif 000006
【図６】
0005655709.tif 000007
【図７】
0005655709.tif 000008